(57)【要約】      （修正有）【課題】回転ドラム内における衣類等の被乾燥物の絡まりを防止するとともに、糸くずの発生を抑制する。【解決手段】被乾燥物が収容される回転ドラム２の内面に、前記回転ドラム２の内側に突出するとともに前記回転ドラム２の回転方向に沿って延びた複数の突条部２Ｔを設け、被乾燥物が突条部２Ｔに接触してスムーズに回転することで、被乾燥物が絡まることを防止し、乾燥効率を向上させるとともに、被乾燥物からの糸くずの発生量を低減し、衣類乾燥機のメンテナンスの手間を低減させる。【選択図】図２
2013121417.tif 000002
【特許請求の範囲】
【請求項１】
被乾燥物が収容される回転ドラムの内面に、前記回転ドラムの内側に突出するとともに前記回転ドラムの回転方向に沿って延びる複数の突条部を有する衣類乾燥機。
【請求項２】
前記各突条部が、前記回転ドラムの内面において全周に亘って設けられている請求項１記載の衣類乾燥機。
【請求項３】
前記各突条部が、前記回転ドラムの内面において部分的に設けられている請求項１記載の衣類乾燥機。
【請求項４】
被乾燥物が収容される回転ドラムの吸気口又は排気口に設けられたフィルタの表面に、前記回転ドラムの内側に突出するとともに前記回転ドラムの回転方向に沿って延びる複数の突条部が設けられている衣類乾燥機。
【請求項５】
前記各突条部が、前記フィルタの周方向全体に亘って設けられている請求項４記載の衣類乾燥機。
【請求項６】
被乾燥物が収容される回転ドラムに設けられた電装部品の表面に、前記回転ドラムの内側に突出するとともに前記回転ドラムの回転方向に沿って延びる複数の突条部が設けられている衣類乾燥機。
【請求項７】
被乾燥物が収容される回転ドラムに設けられた電装部品の周囲に、前記電装部品よりも前記回転ドラムの内側に突出するとともに、前記回転ドラムの回転方向に沿って延びる複数の突条部が設けられている衣類乾燥機。
【請求項８】
被乾燥物が収容される回転ドラムに設けられたリフタの表面に、前記回転ドラムの内側に突出するとともに前記回転ドラムの回転方向に沿って延びる複数の突条部が設けられている衣類乾燥機。
【請求項９】
被乾燥物が収容される回転ドラムの開口部を開閉自在に設けられた蓋体の内面に、前記回転ドラムの内側に突出するとともに前記回転ドラムの回転方向に沿って延びる複数の突条部が設けられている衣類乾燥機。
【請求項１０】
前記回転ドラムに吸気するための吸気流路と、
前記回転ドラムから排気するための排気流路と、
圧縮機、放熱器、減圧器及び吸熱器を有し、前記吸熱器が前記排気流路に設けられ、前記放熱器が吸気流路に設けられたヒートポンプ回路とを備える請求項１乃至９の何れかに記載の衣類乾燥機。
【発明の詳細な説明】
【技術分野】
【０００１】
本発明は、衣類乾燥機に関するものである。
【背景技術】
【０００２】
従来の衣類乾燥機としては、特許文献１に示すように、回転ドラムに吸気するための吸気流路に凝縮器（放熱器）、回転ドラムから排気するための排気流路に送風機及び吸熱器（蒸発器）を設け、排気空気の排熱を回収して吸気を加熱するヒートポンプ乾燥機がある。このヒートポンプ乾燥機は、乾燥効率を向上させるとともに、発生する糸くずを抑えることが不可欠である。
【０００３】
そして、この回転ドラムには、衣類を出し入れするための開口部が設けられた前壁部、又は開口部とは反対側の後壁部に吸排気口が設けられており、当該吸排気口にはフィルタが設けられている。このフィルタは、衣類や異物の吸込みを防止するために設けられており、例えば格子形状をなしている。
【０００４】
しかしながら、回転ドラムを回転させる際に当該回転ドラムに収容された衣類がフィルタの格子に接触することにより、衣類の糸くずが発生するとともに、衣類が傷んでしまうという問題がある。また、回転ドラムの回転軸方向において衣類の回転速度に差が生じてしまい、衣類が例えば団子状に絡まってしまうという問題がある。そして、衣類が団子状に絡まってしまうと、フィルタの格子と衣類との接触による衝撃が強くなり、余計に糸くずが発生し、衣類が傷んでしまうという問題がある。さらに、衣類が絡まってしまうと、衣類の乾燥効率が低下してしまい、乾燥時間が延びてしまうという問題もある。
【０００５】
なお、このような問題は、衣類とフィルタとの接触以外にも、回転ドラムの内面に設けられた突起物との接触によっても起こり得る。
【先行技術文献】
【特許文献】
【０００６】
【特許文献１】特開２００９−１９５３６４号公報
【発明の概要】
【発明が解決しようとする課題】
【０００７】
そこで本発明は、上記問題点を一挙に解決すべくなされたものであり、回転ドラム内における衣類等の被乾燥物の絡まりを防止するとともに、糸くずの発生を抑制することを主たる所期課題とするものである。
【課題を解決するための手段】
【０００８】
すなわち本発明に係る衣類乾燥機は、被乾燥物が収容される回転ドラムの内面に、前記回転ドラムの内側に突出するとともに前記回転ドラムの回転方向に沿って延びた複数の突条部が設けられていることを特徴とする。
【０００９】
このようなものであれば、回転ドラムの内面に、回転ドラムの回転方向に沿って延びた複数の突条部が設けられているので、回転ドラムが回転した場合に、被乾燥物が複数の突条部に接触してスムーズに回転することになり、被乾燥物が絡まることを防止することができる。これにより、被乾燥物の乾燥効率が向上して乾燥時間を短縮することができる。また、被乾燥物が複数の突条部に接触してスムーズに回転することにより、被乾燥物からの糸くずの発生量を低減することができる。これにより、衣類乾燥機のメンテナンスの手間を軽減することができる。
【００１０】
ここで、回転ドラムの内面に複数の突条部を設ける態様としては、前記各突条部が、前記回転ドラムの内面において全周に亘って設けること又は部分的に設けることが考えられる。
【００１１】
具体的に本発明に係る衣類乾燥機は、被乾燥物が収容される回転ドラムの吸気口又は排気口に設けられたフィルタの表面に、前記回転ドラムの内側に突出するとともに前記回転ドラムの回転方向に沿って延びた複数の突条部が設けられていることを特徴とする。これならば、フィルタの格子に被乾燥物が接触することにより生じる被乾燥物の絡まりや糸くずの発生を低減することができる。
【００１２】
このとき、前記各突条部が、前記フィルタの周方向全体に亘って設けられていることが望ましい。
【００１３】
また本発明に係る衣類乾燥機は、被乾燥物が収容される回転ドラムに設けられた電装部品の表面に、前記回転ドラムの内側に突出するとともに前記回転ドラムの回転方向に沿って延びた複数の突条部が設けられていることを特徴とする。これならば、電装部品を回転ドラムの内面に設けた場合に、当該電装部品に被乾燥物が接触することにより生じる被乾燥物の絡まりや糸くずの発生を低減することができる。
【００１４】
また本発明に係る衣類乾燥機は、被乾燥物が収容される回転ドラムに設けられた電装部品の周囲に、前記電装部品よりも前記回転ドラムの内側に突出するとともに、前記回転ドラムの回転方向に沿って延びた複数の突条部が設けられていることを特徴とする。これによっても、電装部品を回転ドラムの内面に設けた場合に、当該電装部品に被乾燥物が接触することにより生じる被乾燥物の絡まりや糸くずの発生を低減することができる。
【００１５】
また本発明に係る衣類乾燥機は、被乾燥物が収容される回転ドラムに設けられたリフタの表面に、前記回転ドラムの内側に突出するとともに前記回転ドラムの回転方向に沿って延びた複数の突条部が設けられていることを特徴とする。これならば、リフタに被乾燥物が接触することにより生じる被乾燥物の絡まりや糸くずの発生を低減することができる。
【００１６】
また本発明に係る衣類乾燥機は、被乾燥物が収容される回転ドラムの開口部を開閉自在に設けられた蓋体の内面に、前記回転ドラムの内側に突出するとともに前記回転ドラムの回転方向に沿って延びた複数の突条部が設けられていることを特徴とする。これならば、蓋体に被乾燥物が接触することにより生じる被乾燥物の絡まりや糸くずの発生を低減することができる。
【００１７】
衣類乾燥機の具体的な実施の態様としては、前記回転ドラムに吸気するための吸気流路と、前記回転ドラムから排気するための排気流路と、圧縮機、放熱器、減圧器及び吸熱器を有し、前記吸熱器が前記排気流路に設けられ、前記放熱器が吸気流路に設けられたヒートポンプ回路とを備えたものであることが考えられる。
【発明の効果】
【００１８】
このように構成した本発明によれば、回転ドラム内における衣類等の被乾燥物の絡まりを防止して乾燥効率を向上させるとともに、糸くずの発生を抑制することができる。
【図面の簡単な説明】
【００１９】
【図１】本実施形態における衣類乾燥機の構成を示す模式図。
【図２】同実施形態におけるフィルタ及び突条部を模式的に示す軸方向から見た図及び断面図。
【図３】突条部をフィルタに設けた場合の変形例を模式的に示す正面図及び断面図。
【図４】突条部を回転ドラムの内面に設けた場合を模式的に示す正面図及び断面図。
【図５】突条部を電装部品の周囲に設けた場合を模式的に示す正面図及び断面図。
【図６】突条部をリフタに設けた場合を模式的に示す正面図及び断面図。
【図７】突条部を蓋体に設けた場合を模式的に示す正面図及び断面図。
【発明を実施するための形態】
【００２０】
以下に本発明の一実施形態について図面を参照して説明する。
【００２１】
本実施形態に係る衣類乾燥機１００は吸排気方式ものであり、図１に示すように、衣類等の被乾燥物を収容する回転ドラム２と、回転ドラム２に吸気するための吸気流路３と、回転ドラム２から排気するための排気流路４と、ヒートポンプ回路５と、衣類乾燥機１００の各部を制御する制御装置６とを備える。なお、図１において符号２Ａは、回転ドラム２における吸気口であり、吸気流路３に連通している。また、符号２Ｂは、回転ドラム２における排気口であり、排気流路４に連通している。
【００２２】
ヒートポンプ回路５は、圧縮機５１、放熱器５２、減圧器５３及び吸熱器５４が環状にこの順で接続された冷凍サイクルを備えるものである。そして、吸熱器５４が排気流路４内に設けられており、放熱器５２が吸気流路３内に設けられている。
【００２３】
このヒートポンプ回路５において圧縮機５１の吐出管（放熱器５２の入口）には、当該放熱器５２に流入する冷媒の圧力を測定する冷媒圧力測定部である冷媒圧力センサ７が設けられている。この冷媒圧力センサ７からの検出信号等により制御装置６は、衣類乾燥機１００の各部を制御して衣類の乾燥を行う。
【００２４】
給気流路３には、前記放熱器５２の下流側に、前記回転ドラム２に流入する空気を加熱するヒータ８が設けられている。排気流路４には、前記吸熱器５４の下流側に、ドラム２内部からドラム２外部に向かって送風するための送風機構９が設けられている。なお、送風機構９は、排気ダクトの圧力損失を考慮して、多翼ファンやターボファン等の静圧の高い遠心ファンを用いている。
【００２５】
しかして本実施形態の衣類乾燥機１００においては、図２に示すように、回転ドラム２の排気口２Ｂに設けられたフィルタ２１の表面に、回転ドラム２の内側に突出するとともに回転ドラム２の回転方向に沿って延び、且つ回転ドラム２の回転方向に直交する方向に互いに離間した複数の突条部２Ｔが設けられている。なお、この複数の突条部２Ｔは、布の絡みを防止する布絡み防止リブとして作用する。
【００２６】
本実施形態の排気口２Ｂは、回転ドラム２における開口部とは反対側の後壁部に設けられており、この排気口２Ｂを覆うように正面視円弧形状をなす格子状のフィルタ２１が設けられている。
【００２７】
本実施形態のフィルタ２１は、回転ドラム２の回転方向に沿って形成された第１の格子要素２１１と、前記回転方向に直交する径方向に沿って形成された第２の格子要素２１２とを有しており、前記第１の格子要素２１１を前記第２の格子要素２１２よりも回転ドラム２の内側に突出させることにより、複数の突条部２Ｔが一体形成されている。ここで突条部２Ｔの突出長は２ｍｍ以上が好ましく、例えば１０ｍｍとすることが考えられる。また、この複数の突条部２Ｔは、前記フィルタ２１の周方向全体に亘って設けられている。さらに複数の突条部２Ｔの回転方向両端部は、被乾燥物の引っ掛かりを低減すべく、円弧形状又は回転ドラム２の内面に向かって傾斜した傾斜面とされている。なお、フィルタ２１の表面に当該フィルタ２１とは別部材の突条部材を設けることによって前記突条部２Ｔを形成しても良い。
【００２８】
このように構成した本実施形態に係る衣類乾燥機１００によれば、回転ドラム２の内面に、回転ドラム２の回転方向に沿って延びる複数の突条部２Ｔが設けられているので、回転ドラム２が回転した場合に、被乾燥物が複数の突条部２Ｔに接触してスムーズに回転することになり、被乾燥物が絡まることを防止することができる。これにより、被乾燥物の乾燥効率が向上して乾燥時間を短縮することができる。また、被乾燥物が複数の突条部２Ｔに接触してスムーズに回転することにより、被乾燥物からの糸くずの発生量を低減することができる。これにより、衣類乾燥機１００のメンテナンスの手間を軽減することができる。
【００２９】
なお、本発明は前記実施形態に限られるものではない。
【００３０】
例えば、前記実施形態では回転ドラム２の後壁部に排気口２Ｂを設け、この排気口２Ｂに設けたフィルタ２１に複数の突条部２Ｔを設けた例を示したが、図３に示すように、回転ドラム２の後壁部に吸気口２Ａ及び排気口２Ｂを設け、これら吸気口２Ａ及び排気口２Ｂそれぞれに設けたフィルタ２１に複数の突条部２Ｔを設けても良い。
【００３１】
また、吸気口２Ａ及び排気口２Ｂが設けられた後壁部の周縁部において全周に亘って複数の突条部２Ｔを形成しても良い。
【００３２】
さらに、図４に示すように、回転ドラム２の内面において側壁部内面に、回転ドラム２の内側に突出するとともに回転ドラム２の回転方向に沿って延び、且つ回転軸方向に離間して配置された複数の突条部２Ｔを設けても良い。図４においては、回転ドラム２の内面において周方向に部分的に設けられている例（周方向に４つの突条部２Ｔ）を示しているが、各突条部２Ｔを回転ドラム２の内面において全周に亘って設けても良い。
【００３３】
その上、回転ドラム２の内面に、温度センサ、圧力センサ又はＬＥＤ等の電装部品２２を設けた場合には、図５に示すように、電装部品２２の周囲に、電装部品２２よりも回転ドラム２の内側に突出するとともに、前記回転ドラム２の回転方向に沿って延びる複数の突条部２Ｔを設けても良い。なお、電装部品２２自体の表面に複数の突条部２Ｔを設けても良い。
【００３４】
加えて、回転ドラム２の内面にリフタ２３が設けられている場合には、図６に示すように、当該リフタ２３の表面に、回転ドラム２の内側に突出するとともに回転ドラム２の回転方向に沿って延び、且つ回転軸方向に離間して配置された複数の突条部２Ｔを設けても良い。
【００３５】
さらに加えて、図７に示すように、回転ドラム２の開口部を開閉自在に設けられた蓋体２４の内面に、回転ドラム２の内側に突出するとともに回転ドラム２の回転方向に沿って延びる複数の突条部２Ｔを設けても良い。この突条部２Ｔは、蓋体２４の内面に互いに同心円状に設けられている。なお、蓋体２４に設けられた窓ガラスの周囲に同心円状に複数の突条部２Ｔを設けても良いし、窓ガラスに同心円状に複数の突条部２Ｔを設けても良い。
【００３６】
その他、本発明は上記の各実施形態に限られず、本発明の趣旨を逸脱しない限り、前述した種々の構成の一部又は全部を適宜組み合わせて構成してもよい。
【符号の説明】
【００３７】
１００・・・衣類乾燥機
２    ・・・回転ドラム
２Ａ  ・・・吸気口
２Ｂ  ・・・排気口
２１  ・・・フィルタ
２Ｔ  ・・・突条部
２２  ・・・電装部品
２３  ・・・リフタ
２４  ・・・蓋体
３    ・・・吸気流路
４    ・・・排気流路
５    ・・・ヒートポンプ回路
５１  ・・・圧縮機
５２  ・・・放熱器
５３  ・・・減圧器
５４  ・・・吸熱器
【図１】
2013121417.tif 000003
【図２】
2013121417.tif 000004
【図３】
2013121417.tif 000005
【図４】
2013121417.tif 000006
【図５】
2013121417.tif 000007
【図６】
2013121417.tif 000008
【図７】
2013121417.tif 000009